(57)【要約】【課題】  鞄の内部に、収納部を二分する仕切りを設け、この仕切りが変形可能であることによって、厚みのあるノート型パソコンを収納しても鞄の外形の型崩れを防止できるとともに、鞄内部における揺動を防止できる鞄を提供する。【解決手段】  軽量で柔軟な材料を用いた鞄であって、前面部４と、後面部５と、前面部４および後面部５を一体に連設する側周部６とから概直方体形状に形成されるとともに、内側に仕切り部７を有し、仕切り部７によって内部が前後に二分され、前面部４と仕切り部７の間の第１収納部８、および後面部５と仕切り部７の間の第２収納部９が形成されている。仕切り部７は、クッション材を芯地とする概長方形状の仕切り本体部１３とこの仕切り本体部を生地で囲むマチ部１４とからなり、マチ部はその外縁全周において前記側周部の内面に綴じ付けられ、収納パソコンの厚さに応じて、仕切り部７が移動することによりその形状が変化する。【選択図】  図２
0003146051.tif 000002
【実用新案登録請求の範囲】
【請求項１】
ノート型パソコンの持ち運びに適した鞄であって、
この鞄は、前面部と後面部と前面部および後面部を一体に連設する側周部とから概直方体形状に形成されるとともに、内側に仕切り部を有し、
この仕切り部によって鞄の内部が前後に二分されて、前面部と仕切り部の間に第１収納部が形成され、後面部と仕切り部の間に第２収納部が形成され、
前記仕切り部は、クッション材を芯地とする概長方形状の仕切り本体部とこの仕切り本体部を生地で囲むマチ部とからなり、
マチ部はその外縁全周で前記側周部の内面に綴じ付けられていることを特徴とするノート型パソコン持ち運び用鞄。
【請求項２】
軽量で柔軟な材料を用いて形成されていることを特徴とする請求項１に記載のノート型パソコン持ち運び用鞄。
【請求項３】
前記仕切り部の第１収納部側または第２収納部側のいずれかの下方にポケット部が設けられ、このポケット部に収納された物品の揺動を防止するための固定部材が設けられていることを特徴とする請求項１または２のいずれかに記載のノート型パソコン持ち運び用鞄。
【考案の詳細な説明】
【技術分野】
【０００１】
鞄の内部に、収納部を二分する仕切りを設け、この仕切りの形状が変形可能であることによって、厚みのあるノート型パソコンを収納しても鞄の外形の型崩れを防止できるとともに、鞄内部における揺動を防止できる鞄に関する。
【背景技術】
【０００２】
ノート型パソコン（以下、「パソコン」）が普及し、電車内やファーストフード店内で使用したり、出張先に持参したりすることが多くなってきた。そのため、パソコンだけを収納するのではなく、書類などと一緒に、パソコンを収納できる鞄の需要が増加している。そのため、このようなタイプの鞄に関する先行特許出願も多数あり、例えば、登録実用新案第３０３２６８１号公報「ノート型パソコンなどの持ち運び用の鞄」には、ノート型パソコンなどを収納できるケースを鞄本体内に収容することにより、１個の鞄内に書類などと一緒にノート型パソコンを収納して持ち運ぶことができる鞄が提案されている。また、特開２０００−１４４２６号公報「鞄」には、鞄内部に着脱可能な収納ポーチを収納し、この収納ポーチにパソコンなどの物品を収納する鞄が提案されている。
【０００３】
【特許文献１】登録実用新案第３０３２６８１号公報
【特許文献２】特開２０００−１４４２６号公報
【考案の開示】
【考案が解決しようとする課題】
【０００４】
特許文献１の「ノート型パソコンなどの持ち運び用の鞄」も特許文献２の「鞄」も、書類等を入れた鞄の内部にパソコンも入れられるので、手荷物を１個にまとめることができ持ち運びに好都合である。
しかしながら、パソコンを収納ケースに入れてから、その収納ケースを鞄の中に収納するので、パソコンを出し入れする際に手間がかかる。そのうえ、収納ケース自体に厚みがあるので、その厚みの分だけ鞄内部のスペースを占めることになる。また、収納ケースの大きさや厚さは固定的なので、大きさや厚さが異なるパソコンに柔軟に対応していない。
【０００５】
このような問題点に鑑み、本考案は、パソコン専用の収納ケースを必要とすることなく、書類などと同様にパソコンを直接収納でき、さまざまな厚さのパソコンを収納しても鞄の外側の型崩れを防ぐことができる鞄を提供することを目的とする。
【課題を解決するための手段】
【０００６】
前記の目的を達成するために、本考案は、ノート型パソコンの持ち運びに適した鞄であって、この鞄は、前面部と後面部と前面部および後面部を一体に連設する側周部とから概直方体形状に形成されるとともに、内側に仕切り部を有し、この仕切り部によって鞄の内部が前後に二分されて、前面部と仕切り部の間に第１収納部が形成され、後面部と仕切り部の間に第２収納部が形成され、前記仕切り部は、クッション材を芯地とする概長方形状の仕切り本体部とこの仕切り本体部を生地で囲むマチ部とからなり、マチ部はその外縁全周で前記側周部の内面に綴じ付けられていることを特徴とする。
【０００７】
このように、鞄の内部の空間を二分する仕切り部は、平面状ではなく、マチ部を備えた立体的な形状をしている。マチ部は、生地を用いて形成されているので、形状の変化の自由度が高い。パソコンを収納する場合も、そのパソコンの厚みに応じて仕切り部が移動することによりその形状が変化するので、さまざまな厚さのパソコンでもすっきりと収納できる。
【０００８】
前記の目的を達するために、請求項２に記載の考案は、請求項１に記載の鞄であって、軽量で柔軟な材料を用いて形成されていることを特徴とする。
ジュラルミンなどの金属製のように硬い材料で形成した鞄であれば、厚みのあるパソコンを収納しても外側表面の型崩れは考えられない。しかし、重量のあるパソコンを持ち運ぶ鞄自体は、軽量であることが望ましい。ところが、皮革、布ないし化学繊維のような軽量な材料は変形しやすい。そのため、これらの材料から形成される鞄にあっては、厚みのあるパソコンを収納しても、外側の型崩れを防ぐために、本考案のような変形可能な仕切りを設けることが重要なのである。
【０００９】
前記の目的を達するために、請求項３に記載の考案は、請求項１または２のいずれかに記載の鞄であって、前記仕切り部の第１収納部側または第２収納部側のいずれかの下方にポケット部が設けられ、このポケット部に収納された物品の揺動を防止するための固定部材が設けられていることを特徴とする。
これにより、ポケット部にパソコンを収納した場合、パソコンの上面と底面がポケット部と仕切り部によって押さえつけられるので、パソコンが不用意に鞄の内部で動いたりしない。
固定部材の例として、下記の第２の実施形態における被せ部と面ファスナーの組み合わせがある。
【考案の効果】
【００１０】
本考案の鞄を利用すれば、書類などと同様にパソコンを直接収納して持ち運べるので、パソコン専用の収納ケースを使用する場合と比べ、パソコンの出し入れが迅速にできる。
パソコンの厚さに応じて、鞄の内側の仕切りが移動することによりその形状が変化するので、さまざまな厚みのパソコンを収納するのに適している。皮革や布等の変形しやすい材料で形成された鞄であっても、厚みのあるパソコンを収納することによる型崩れが生じないので、鞄を長持ちさせることができる。
さらに、揺動が防止されることで、鞄内部での振動によるパソコン内部の精密部品の故障を防止できる。
【考案を実施するための最良の形態】
【００１１】
〔第１の実施の形態〕
図面を参照しながら、本考案の鞄の一実施の形態を説明する。
【００１２】
図１は、鞄１を前面部からみた斜視図である。
鞄１は、鞄本体２と１対の提げ手３とからなる。
鞄本体２は、提げ手３以外の部分であって、概長方形状の前面部４と後面部５と、対向する前面部４および後面部５とを連設する側周部６とから外形が構成される。側周部６は、右側部６ａ、上面部６ｂ、左側部６ｃおよび底面部６ｄを有して、これら側周部６ａ〜６ｄは、前面部４および後面部５と所定の位置で綴じ付けられ、一体となって鞄本体２を形成する。
【００１３】
図２は、鞄本体２の断面斜視図であり、鞄本体２の内側には、仕切り部７が設けられている。
この仕切り部７は、鞄本体２の内部を二分するものであり、鞄１の物品を収納する部分は、前面部４と仕切り部７の間にある第１収納部８と、後面部５と仕切り部７の間にある第２収納部９とに分かれる。図４および図５に示すように、鞄１に入れて持ち運ぼうとするパソコン１０（１０ａ、１０ｂ）は第１収納部８に収納される。
収納部８，９そのそれぞれを開閉するためのファスナー１１，１２が、側周部６のうち底面部６ｄを除く収納部８，９のほぼ全域にわたる対応箇所に取り付けられている。
【００１４】
鞄類の内側の仕切りは通常平面的な形状を有する。しかし、鞄１の仕切り部７は、平面的な長方形状の仕切り本体部１３と、仕切り本体部７の四辺を取り囲むマチ部１４を備えた立体的な形状を有する。
図４及び図５の断面図に示すように、仕切り部７の本体部１３が第１収納部８側に設ける表地１５ａ、第２収納部９に設ける裏地１５ｂ、および表地１５ａと裏地１５ｂとの間に介在されるクッション材１６との三層になっている。クッション材としては、発泡樹脂、発泡ゴムなど、衝撃吸収性の高いものが好ましい。
仕切り本体部１３は概長方形の平板状に形成されている。この長方形の横の長さは、鞄本体２内部の左右の巾にほぼ等しく、縦の長さは、鞄本体２内部の高さにほぼ等しい。
【００１５】
マチ部１４は、表地１５ａおよび裏１５ｂとからのみ構成され、外縁の全周は、対応する側周部６（６ａ、６ｂ、６ｃおよび６ｄ）の内側に綴じ付けられ固定されている。
表地１５ａおよび裏地１５ｂはいずれも生地が用いられるので、マチ部１４は、自在に移動して形状が変化する。そのため、仕切り部７全体がパソコンの収納時などに移動して変形し収納可能となる。この点につき、図３に従い説明する。図３の左側は、パソコンを収納前の仕切り部７の状態を示す図であり、仕切り部７は、前面部４側に突き出た扁平な直方体状である。この状態で、仕切り部７を後面部５側に向けて押すようにしながらパソコン１０を収納すると、図３の右側に示すように、仕切り部７は後面部５側を底面、マチ部１４を４側面とする扁平な箱状になる。この箱状部分の内側にパソコン１０が収納されるわけである。
パソコン１０の底面に当接する仕切り本体部１３は内部にクッション材１６を有しているので、運搬中に外力が加えられたとしてもその衝撃は緩和されてパソコン内部の精密部品等を保護することができる。あわせて、仕切り部７の全体を形成する伸縮性ある生地１５（１５ａ、１５ｂ）によっても、外部からの衝撃を吸収し、パソコンを保護する効果が得られる。
【００１６】
マチ部１４は、収納するパソコンの厚さに応じて、変形可能である。図４では、厚みのあるパソコン１０ａを収納しているので、マチ部１４は伸びきっているが、図５では収納されるパソコン１０ｂの厚みが小さいので、マチ部１４にたるみがある。
図４のようにマチ部が伸びきった状態のときに、書類などを収納する第２収納部９のスペースが最小となるが、図５のように薄いパソコンを収納したときは、第２収納部９が広くとれるので、鞄本体２内部の空間を有効に利用できる。また、パソコンの厚さに応じて変形した仕切り部７によってパソコンの底面および４つの側面が保持されるので、鞄の内部におけるパソコンの揺動を防止することもできる。
【００１７】
このように、本実施形態の鞄１は、マチ部１４を設けたことによって仕切り部７の形状がパソコン１０の厚さに応じて移動し変形するので、図４のような厚さのあるパソコン１０ａを収納しても鞄の内側にすっきりと収納でき、鞄の外側の型崩れ、特に前面部４の形状の変化を防止できる。
ところが、図６に示す従来の鞄の仕切り５１のように形状が平面的であるならば、収納するパソコン５２の厚みによっては、斜線を付した個所のように型崩れが生じる。その結果、鞄が長持ちしなくなる。
【００１８】
〔第２の実施の形態〕
第２の実施形態の鞄２１は、図７に示すように、第１の実施形態の鞄１にパソコン収納用のポケット部２２を設けたものである。
仕切り部７の下方において外縁部同士を縫合したポケット部２２が取り付けられ、このポケット部２２と仕切り部７との間にパソコン１０を収納すれば、鞄の内部でパソコン１０が不用意に動くことを防止できる。
【００１９】
仕切り部７のポケット部２２の上方に位置する箇所に、被せ部２３の端部２３ａを固着し、この被せ部２３の他端部２３ｂ側の内面に、面ファスナーの一方２４ａが設けられ、ポケット部２２の表面に、その面ファスナーの他方２４ｂを設ける。
ポケット部２２にパソコン１０を入れ、被せ部２３を引っ張りながらパソコン１０の表面に渡しかけ、被せ部２３側の面ファスナー２４ａと、ポケット部表面にある対をなす面ファスナー２４ｂとを締結する。
図８に示すように、パソコン１０は、ポケット部２２と仕切り部７とによって、筐体の上面と底面とが押さえつけられているので、鞄２１内部での揺動を防ぐことができる。
被せ部２３と面ファスナー２４ａ，２４ｂは、請求項３にいう「固定部材」に相当する。
【００２０】
前記の実施の形態では、パソコンは第１収納部内に収納されていた。しかし、第２収納部内に収納してもかまわない。その場合、第２の実施形態のポケット部は、第２収納部側に設けられる。
一般にビジネス用途の鞄には、前面部あるいは後面部の外側あるいは内側に小物等を入れるポケット等が適宜設けられるが、前記の説明では省略した。
【産業上の利用可能性】
【００２１】
本考案の鞄は、パソコンを日頃持ち運ぶ必要のあるビジネスパーソンや学生に適した鞄としての需要が見込まれる。
【図面の簡単な説明】
【００２２】
【図１】第１の実施形態の鞄の斜視図である。
【図２】第１の実施形態の鞄本体の断面斜視図である。
【図３】第１の実施形態の鞄本体にパソコンを収納する状態を説明するための模式図である。
【図４】筐体が厚いパソコンを収納している状態の図１におけるＡ−Ａ線断面図である。
【図５】筐体が薄いパソコンを収納している状態の図１におけるＡ−Ａ線断面図である。
【図６】形状が平面的な仕切り部を有する鞄に、厚いパソコンを収容した状態を示す図である。
【図７】第２の実施形態の鞄にパソコンを収納する様子を示す図である。
【図８】第２の実施形態の鞄にパソコンが収納されている状態を示す図である。
【符号の説明】
【００２３】
１  鞄
２  鞄本体
４  前面部
５  後面部
６（６ａ、６ｂ、６ｃ、６ｄ）  側周部
７  仕切り部
８  第１収納部
９  第２収納部
１３  仕切り本体部
１４  マチ部
１５  伸縮性のある生地
１６  クッション材
２１  （第２の実施形態の）鞄
２２  ポケット部
２３  被せ部（固定部材）
２４  面ファスナー（固定部材）
【図１】
0003146051.tif 000003
【図２】
0003146051.tif 000004
【図３】
0003146051.tif 000005
【図４】
0003146051.tif 000006
【図５】
0003146051.tif 000007
【図６】
0003146051.tif 000008
【図７】
0003146051.tif 000009
【図８】
0003146051.tif 000010